(57)【要約】【課題】撮影した複数の画像の高速確認を行い易くすることができる。【解決手段】光学系により結像された被写体像を撮像して撮像信号を出力し、その撮像信号を順次信号処理し、連続撮影により複数枚の画像の撮影動作を繰り返し行うように制御し、連続撮影され信号処理された影画像の縮小画像を、撮影毎に順次追加表示するように制御する。【選択図】図１
2008124826.tif 000002
【特許請求の範囲】
【請求項１】
光学系により結像された被写体像を撮像して撮影画像を出力する撮像手段と、
画像を表示する表示手段と、
連続撮影により複数枚の画像の撮影動作を繰り返し行うように前記撮像手段を制御する連続撮影制御手段と、
前記連続撮影制御手段の制御により前記撮像手段から撮影画像が出力される毎に該撮影画像を前記表示手段に順次追加表示するように制御する表示制御手段と、
を備えることを特徴とする撮像装置。
【請求項２】
連続撮影による撮影画像表示に関連する表示条件設定データを設定する表示条件設定手段を備え、
前記表示制御手段は、
前記表示条件設定手段により設定された表示条件設定データに基づいて、前記連続撮影制御手段の制御により前記撮像手段から撮影画像が出力される毎に前記表示手段に該撮影画像を順次追加表示するように制御することを特徴とする請求項１記載の撮像装置。
【請求項３】
前記表示制御手段は、
横方向、縦方向、斜め方向のいずれかの方向に、前記撮影画像を敷き詰めるように並べて順次追加表示するように制御することを特徴とする請求項１または２項に記載の撮像装置。
【請求項４】
前記表示制御手段は、
横方向、縦方向、斜め方向のいずれかの方向に、前記撮影画像を順次前回の撮影画像の上に、少なくともその一部が積み重ねて順次追加表示するように制御することを特徴とする請求項１または２項に記載の撮像装置。
【請求項５】
前記表示制御手段は、
被写体像のスルー画像を、前記順次追加表示する前記撮影画像と並列もしくは重畳して表示するように制御することを特徴とする請求項１または２項に記載の撮像装置。
【請求項６】
前記表示制御手段は、
前記被写体像のスルー画像の表示位置から、前記順次追加表示された前記撮影画像の表示位置に向かって、画像表示もしくはその表示枠が移動するアニメーション映像を描画表示するように制御することを特徴とする請求項１または５項に記載の撮像装置。
【請求項７】
前記表示制御手段は、
表示画面上の表示列、行、表示位置のいずれかが一杯のとき、または、最後の表示位置に該当するときには、前記順次追加表示された前記撮影画像の表示を全て消去させ、初期の表示位置から前記撮影画像の追加表示を再開するように制御することを特徴とする請求項１から４のいずれか１つに記載の撮像装置。
【請求項８】
前記表示制御手段は、
表示画面上の表示列、行、表示位置のいずれかが一杯のとき、または、最後の表示位置に該当するときには、最も古く順次追加表示された撮影画像の表示を消去させ、その他の順次追加表示された撮影画像を初期の表示位置の方向に順次平行移動して更新表示して、最新の順次追加表示された撮影画像を前記最後の表示位置に追加表示することにより、スクロール表示するように制御することを特徴とする請求項１から４のいずれか１つに記載の撮像装置。
【請求項９】
前記表示条件設定手段は、
連続撮影後に順次追加表示するときの表示条件の設定データの組合せを、予め複数組を記憶するとともに、操作入力部からの操作に応じて、前記複数組の表示条件設定データの組合せの中から選択された表示条件設定データの組合せを、順次追加表示の表示条件として設定することを特徴とする請求項２記載の撮像装置。
【請求項１０】
前記表示制御手段は、
操作入力部からの操作に応じて、前記順次追加表示に関する表示条件の設定を行うための順次追加表示設定モードの操作画面を表示するように制御し、
前記表示条件設定手段は、
前記順次追加表示設定モードにおいて、前記操作入力部からの操作に従って、連続撮影後の順次追加表示の表示条件の設定データをカスタム設定することを特徴とする請求項２記載の撮像装置。
【請求項１１】
連続撮影により複数枚の画像の撮影動作を繰り返し行うように、光学系により結像された被写体像を撮像して撮影画像を出力する撮像素子を制御する連続撮影制御ステップと、
前記連続撮影制御ステップの制御により前記撮像素子から撮影画像が出力される毎に、該撮影画像を表示部に順次追加表示するように制御する表示制御ステップと、
を有することを特徴とする表示制御方法。
【請求項１２】
連続撮影により複数枚の画像の撮影動作を繰り返し行うように、光学系により結像された被写体像を撮像して撮影画像を出力する撮像素子を制御する連続撮影制御ステップと、
前記連続撮影制御ステップの制御により前記撮像素子から撮影画像が出力される毎に、該撮影画像を表示部に順次追加表示するように制御する表示制御ステップと、
をコンピュータに実行させることを特徴とするプログラム。
【発明の詳細な説明】
【技術分野】
【０００１】
本発明は、高速連写時の高速確認が行いやすい撮像装置、表示制御方法及びプログラムに関する。
【背景技術】
【０００２】
従来、撮影後又は撮影中の順次表示やマルチ画面表示等により、撮影画像を表示する電子カメラが知られている。
【０００３】
このような電子カメラの一例として、特許文献１に記載された「モニタ付きカメラ」にあっては、単写モードでは、撮影終了後に記憶された撮影時の画像を表示させ、連写モードでは、各撮影が終了するたびに撮像された画像を表示させるようにしていた。このため、単写モードでは撮影画像を静止画として把握することができ、連写モードでは連写しながら並行して表示内容を確認することができるといった利点を有している。
【特許文献１】特開平６−１１０１０７号公報
【発明の開示】
【発明が解決しようとする課題】
【０００４】
しかしながら、連写モードでは、連写スピードに比例して表示するので、連写スピードが速くなった場合には確認し難いといった問題があった。
【０００５】
また、単写モードで説明した内容を連写モードに適用すると、一枚ずつ撮影した画像を、例えば十枚を連続表示する場合でも、スクロール表示するので、表示時間がかかり、高速確認がし難いといった問題があった。
【０００６】
本発明は、上記に鑑みてなされたもので、その目的は、撮影した複数の画像の高速確認を行い易くすることができる撮像装置、表示制御方法及びプログラムを提供することにある。
【課題を解決するための手段】
【０００７】
（１）本発明は、光学系により結像された被写体像を撮像して撮影画像を出力する撮像手段と、画像を表示する表示手段と、連続撮影により複数枚の画像の撮影動作を繰り返し行うように前記撮像手段を制御する連続撮影制御手段と、前記連続撮影制御手段の制御により前記撮像手段から撮影画像が出力される毎に該撮影画像を前記表示手段に順次追加表示するように制御する表示制御手段と、を備えることを特徴とする。
【０００８】
（２）本発明は、連続撮影による撮影画像表示に関連する表示条件設定データを設定する表示条件設定手段を備え、前記表示制御手段は、前記表示条件設定手段により設定された表示条件設定データに基づいて、前記連続撮影制御手段の制御により前記撮像手段から撮影画像が出力される毎に前記表示手段に該撮影画像を順次追加表示するように制御することを特徴とする。
【０００９】
（３）本発明は、前記表示制御手段は、横方向、縦方向、斜め方向のいずれかの方向に、前記撮影画像を敷き詰めるように並べて順次追加表示するように制御することを特徴とする。
【００１０】
（４）本発明は、前記表示制御手段は、横方向、縦方向、斜め方向のいずれかの方向に、前記撮影画像を順次前回の撮影画像の上に、少なくともその一部が積み重ねて順次追加表示するように制御することを特徴とする。
【００１１】
（５）本発明は、前記表示制御手段は、被写体像のスルー画像を、前記順次追加表示する前記撮影画像と並列もしくは重畳して表示するように制御することを特徴とする。
【００１２】
（６）本発明は、前記表示制御手段は、前記被写体像のスルー画像の表示位置から、前記順次追加表示された前記撮影画像の表示位置に向かって、画像表示もしくはその表示枠が移動するアニメーション映像を描画表示するように制御することを特徴とする。
【００１３】
（７）本発明は、前記表示制御手段は、表示画面上の表示列、行、表示位置のいずれかが一杯のとき、または、最後の表示位置に該当するときには、前記順次追加表示された前記撮影画像の表示を全て消去させ、初期の表示位置から前記撮影画像の追加表示を再開するように制御することを特徴とする。
【００１４】
（８）本発明は、前記表示制御手段は、表示画面上の表示列、行、表示位置のいずれかが一杯のとき、または、最後の表示位置に該当するときには、最も古く順次追加表示された撮影画像の表示を消去させ、その他の順次追加表示された撮影画像を初期の表示位置の方向に順次平行移動して更新表示して、最新の順次追加表示された撮影画像を前記最後の表示位置に追加表示することにより、スクロール表示するように制御することを特徴とする。
【００１５】
（９）本発明は、前記表示条件設定手段は、連続撮影後に順次追加表示するときの表示条件の設定データの組合せを、予め複数組を記憶するとともに、操作入力部からの操作に応じて、前記複数組の表示条件設定データの組合せの中から選択された表示条件設定データの組合せを、順次追加表示の表示条件として設定することを特徴とする。
【００１６】
（１０）本発明は、前記表示制御手段は、操作入力部からの操作に応じて、前記順次追加表示に関する表示条件の設定を行うための順次追加表示設定モードの操作画面を表示するように制御し、前記表示条件設定手段は、前記順次追加表示設定モードにおいて、前記操作入力部からの操作に従って、連続撮影後の順次追加表示の表示条件の設定データをカスタム設定することを特徴とする。
【００１７】
（１１）本発明は、連続撮影により複数枚の画像の撮影動作を繰り返し行うように、光学系により結像された被写体像を撮像して撮影画像を出力する撮像素子を制御する連続撮影制御ステップと、前記連続撮影制御ステップの制御により前記撮像素子から撮影画像が出力される毎に、該撮影画像を表示部に順次追加表示するように制御する表示制御ステップと、を有することを特徴とする。
【００１８】
（１２）本発明は、連続撮影により複数枚の画像の撮影動作を繰り返し行うように、光学系により結像された被写体像を撮像して撮影画像を出力する撮像素子を制御する連続撮影制御ステップと、前記連続撮影制御ステップの制御により前記撮像素子から撮影画像が出力される毎に、該撮影画像を表示部に順次追加表示するように制御する表示制御ステップと、をコンピュータに実行させることを特徴とする。
【発明の効果】
【００１９】
本発明によれば、撮影した複数の画像の高速確認を行い易くすることができる。
【発明を実施するための最良の形態】
【００２０】
以下、本発明の実施の形態について図面を参照して説明する。
【００２１】
［本発明の概要］（高速連写のレビュー表示、シャッターアニメーション）図１は、本発明の実施の形態に係る撮影制御装置を電子カメラに適用した場合の概要を示すシステム構成図である。
【００２２】
図１に示すように、電子カメラは、操作入力部１１、制御部１３、ズームレンズ／フォーカスレンズ駆動部１５、絞り／シャッタ駆動部１６、ストロボ駆動部１７、ストロボ１８、角速度センサ／加速度センサ１９、手ブレ／振動検出部２０、受光センサ／ＡＦセンサ２１、測光／測距／ＡＦ検出部２２、光学系２３、イメージセンサ２５、信号処理部２７、バッファメモリ部２９、画像符号化／復号化部３１、画像記録／入出力部３３、画像メモリ媒体３５、表示画像メモリ４０ａからなる表示駆動回路４０、画像表示部４１から構成されている。
【００２３】
制御部１３は、撮影モード／撮影シーンの選択部１３ａ、シーン別撮影プログラム１３ｂ、複数撮影条件の組合せ／連写枚数の設定部１３ｄ、撮影条件の組合せ設定データ１３ｅ、撮影制御部１３ｈ、画像表示の制御部１３ｍ、表示条件の設定データ１３ｎから構成されている。なお、撮影制御部１３ｈは、通常の撮影制御部１３ｈ１、高速連写撮影制御部１３ｈ２、マルチ条件による連写撮影部１３ｈ３、ブラケティング撮影制御部１３ｈ４、動画撮影部１３ｈ５から構成されている。
【００２４】
イメージセンサ２５は、イメージセンサ部、タイミング部、垂直走査部、ＣＤＳ／ＡＤＣ部、デジタル画素加算部、デジタル信号読出し部、水平走査部、Ｐ／Ｓ変換部から構成されている。
【００２５】
信号処理部２７は、表示合成処理部２７ｊ、撮像素子コントローラ部（撮影タイミング制御）、Ｓ／Ｐ変換部、複数のフレームメモリからなる画像メモリ部、画像信号処理部、画像補正処理部、画像特徴の抽出部、画像認識処理部、画像評価処理部、カラーマトリックスから構成されている。
【００２６】
図１において、並列読出しによる高速読出しが可能なＣＭＯＳからなるイメージセンサ２５と、イメージセンサ２５から高速読み出しした画像データを高速書込み可能な画像メモリ部を含み、高速符号化処理が可能なＤＳＰからなる信号処理部２７とを用いて、高速度で連写撮影または動画撮影などを行う。
【００２７】
１回のレリーズ操作による撮影で、撮影条件を少しずつ変えて複数枚の画像を撮影するブラケティング撮影をする場合、複数の撮影条件の組合せを少しずつ変えながら複数枚の画像を高速度で連写して、略同じタイミングの被写体を異なる撮影条件の組合せで多数枚撮影をする場合において、撮影された画像のレビュー表示（撮影確認表示）の方法を提供するものである。
【００２８】
イメージセンサ２５は、光学系により結像された被写体像を撮像して撮像信号を出力する。また、イメージセンサ２５は、入力された制御信号に応じて有効撮像領域中の全領域の画素の撮像信号を読出す全面素読出しモードと、有効撮像領域中の選択された部分領域の画素の撮像信号を選択して読出す選択読出しモードと、制御信号に応じて全領域または選択された部分領域の水平および／または垂直方向の複数の画素の撮像信号を加算して読出す加算読出しモードと、加算せずに読み出す加算なし読出しモードとを備え、さらに、撮像信号の出力回路に設けられた並列／直列変換回路を備えており、読み出された撮像信号を、並列／直列変換回路により直列信号に変換された直列デジタル信号として信号処理部２７へ高速出力する。
信号処理部２７は、イメージセンサ２５からの撮像信号を順次に信号処理する。
【００２９】
撮影条件の組合せ設定データ１３ｅは、高速度撮影モードまたは連続撮影モードに関連して、撮影条件の設定値の組合せを設定するための設定データを予め記憶する。
【００３０】
複数撮影条件の組合せ／連写枚数の設定部１３ｄは、撮影条件の組合せ設定データ１３ｅから読み出した設定データに基づいて撮影条件の設定値を設定する。
【００３１】
表示条件の設定データ１３ｎは、連続撮影による撮影画像のレビュー表示に関連する表示条件の設定データを設定し、複数のシーン別に撮影条件の設定値の組合せを設定するための設定データを記憶する。表示条件の設定データ１３ｎは、複数撮影条件の組合せ／連写枚数の設定部１３ｄにより設定された撮影条件、もしくは、当該連続撮影における少なくとも撮影速度、撮影フレーム速度、連続撮影枚数からなる撮影条件のうち、いずれかの撮影条件に従って、レビュー表示における表示条件の設定データを設定する。表示条件の設定データ１３ｎは、連続撮影による撮影レビュー表示の表示条件の設定データの組合せを、予め複数組を記憶するとともに、操作入力部からの操作に応じて、複数組の表示条件設定データの組合せの中から選択された表示条件設定データの組合せを、レビュー表示の表示条件として設定する。表示条件の設定データ１３ｎは、レビュー表示設定モードにおいて、操作入力部からの操作に従って、連続撮影による撮影レビュー表示の表示条件の設定データをカスタム設定する。
【００３２】
撮影制御部１３ｈは、高速度撮影モードまたは連続撮影モードに関連して、複数撮影条件の組合せ／連写枚数の設定部１３ｄにより設定された撮影条件に従って、複数枚の画像の撮影動作を繰り返し行うように制御し、また、複数撮影条件の組合せ／連写枚数の設定部１３ｄにより設定された複数の設定値の中から、異なる設定値の組合せを順次選択して、当該組合せを撮影条件として、所定の撮影枚数ずつ撮影動作を繰り返し行うように制御する。
【００３３】
画像表示の制御部１３ｍは、表示条件の設定データ１３ｎにより設定された表示条件設定データに基づいて、連続撮影された撮影画像の縮小画像を、撮影毎に順次追加表示して、レビュー表示を行うように制御する。画像表示の制御部１３ｍは、連続撮影された撮影画像の縮小画像を、横方向、縦方向、斜め方向のいずれかの方向に、順次敷き詰めるように並べて追加表示して、レビュー表示を行うように制御する。画像表示の制御部１３ｍは、連続撮影された撮影画像の縮小画像を、横方向、縦方向、斜め方向のいずれかの方向に、順次前回の撮影画像の縮小画像の上に、少なくともその一部が積み重なるように追加表示して、連続撮影された画像のレビュー表示を行うよう制御する。
【００３４】
画像表示の制御部１３ｍは、また、被写体像のスルー画像の表示を、表示画面上にレビュー表示と並列もしくは重畳して表示するように制御する。あるいは、画像表示の制御部１３ｍは、被写体像のスルー画像の表示位置から、追加するレビュー表示画像の表示位置に向かって、画像表示もしくはその表示枠が移動するアニメーション映像を描画表示するように制御する。
【００３５】
画像表示の制御部１３ｍは、表示画面上の表示列、行、表示位置のいずれかが一杯のとき、または、最後の表示位置に該当するときには、表示された撮影画像のレビュー表示を全て消去させ、初期の表示位置から追加表示を再開するように制御してもよく、もしくは、最も古く表示された撮影画像のレビュー表示を消去させ、その他の撮影画像のレビュー表示を初期の表示位置の方向に順次平行移動させて更新表示し、最新の撮影画像のレビュー表示を最後の表示位置に追加表示することにより、スクロール表示するように制御してもよい。
【００３６】
さらに、画像表示の制御部１３ｍは、複数撮影条件の組合せ／連写枚数の設定部１３ｄにより設定された当該画像の撮影条件別に、異なる行、異なる列、異なる並びのいずれかに追加表示して、連続撮影画像のレビュー表示を行うよう制御する。画像表示の制御部１３ｍは、また、操作入力部からの操作に応じて、レビュー表示に関する表示条件の設定を行うためのレビュー表示設定モードの操作画面を表示するように制御する。
【００３７】
撮影モード／撮影シーンの選択部１３ａは、操作入力部からの操作に従って、シーン見本画像表示手段に表示された複数のシーンの名称および見本画像の中から、撮影対象となる撮影シーンを選択する。
【００３８】
被写体像スルー表示と撮影画像のレビュー表示とを組合せて動画風に表示し、また撮影画像のサムネイルのレビュー表示をタイリング（敷詰め）表示や、カスケード（積み重ね）表示、または、スクロール表示して、アニメーション式にレビュー表示することで、高速連写でも撮影を妨げることなく、被写体の確認と撮影確認とが同時に行えるとともに、高速連写時のダイナミックさ、スピード感が強調され、高速連写らしい表示表をおこなうことができる。
【００３９】
また、複数の撮影画像の中から所望シーンまたはその見本画像を選択すると、選択されたシーン毎に設定された設定値に応じて、撮影時の撮影速度（連写撮影間隔）や、連写撮影コマ数、撮影画像サイズ（画素数）などを、選択されたシーンの高速連写に最適となるように自動的に設定して、高速撮影動作を制御するようにしてもよい。
【００４０】
［第１の実施形態］  図２は、本発明の第１の実施形態に係る高速度カメラの全体構成を示すブロック図である。
【００４１】
図２に示すように、高速度カメラは、操作入力部５１、制御回路５３、シャッタ駆動部５５、絞り駆動部５６、ズームレンズ駆動部５７、焦点レンズ駆動部５８、撮影光学系（ズームレンズ）５９、ストロボ駆動回路６０、ストロボ６１、測光／測距センサ６２、検出回路６３、角速度センサ（Ｙ／Ｐｉｔｃｈ）６４、検出回路６５、角速度センサ（Ｘ／Ｙａｗ）６６、検出回路６７、ＨＤＤ記憶装置６８、プログラム・メモリ６９、データ・メモリ７０、画像メモリ媒体７１、撮像素子７３、ＤＳＰ部７５、バッファメモリ（Ｂ）７７、画像ＣＯＤＥＣ（符号器／復号器）７９、動画像ＣＯＤＥＣ（符号器／復号器）８１、表示駆動回路８３、画像表示部８５から構成されている。
【００４２】
制御回路５３は、入出力ポート５３ａ、入出力ポート５３ｂ、ＨＤＤ・ＩＦ５３ｃ、インタフェース５３ｄ、入力回路５３ｅ、メモリカード・ＩＦ５３ｆ、ＣＰＵ５３ｇから構成されている。
【００４３】
ＤＳＰ部７５は、コントローラ７５ａ、Ｓ／Ｐ変換回路７５ｂ、バッファメモリ（Ａ）７５ｃ、ＷＢ補正回路７５ｄ、画素補間／リサイズ回路７５ｅ、カラー補間回路７５ｆ、輪郭補正回路７５ｇ、ガンマ補正回路７５ｈ、マトリクス回路７５ｉ、画像認識処理部７５ｊ、画像補正処理部７５ｋ、画像合成処理部７５ｍから構成されている。
【００４４】
以下、図２を参照して、高速度カメラの動作を簡単に説明する。
【００４５】
撮影光学系５９により撮像面に結像された被写体像は、ＣＣＤやＣＭＯＳイメージセンサなどからなる撮像素子７３により光電変換されて、スルー画像や撮影画像の撮像信号としてＤＳＰ（デジタル信号処理回路）部７５へ出力され、ＤＳＰ部７５に設けられた複数のフレームメモリ等を備えたバッファメモリ（Ａ）７５ｃ等に入力されて信号処理された後に、撮像画像の画素毎の輝度値、色差値のデジタル信号として出力され、バッファメモリ（Ｂ）７７等に一時記憶される。
【００４６】
操作入力部５１に設けられたレリーズボタン（図示しない）が押されて静止画の撮影指示が制御回路５３に入力されると、設定撮影条件に基づいて露出動作および撮影動作を行い、スルー画像とは異なるスチル記録用の高解像度の被写体像の撮像信号を撮像素子７３で撮像して、ＤＳＰ部７５で信号処理された画像データを、画像ＣＯＤＥＣ（Ｃｏｄｅｒ＆Ｄｅｃｏｄｅｒ、符号器／復号器）７９により、ＪＰＥＧ規格等に準じた圧縮符号化画像データ又はＲＡＷデータなど非圧縮の符号化画像データに符号化され、内蔵メモリ又はフラッシュメモリカードなどのメモリ媒体からなるデータ・メモリ７０、若しくは小型のＨＤＤ記憶装置（Ｈａｒｄ  Ｄｉｓｋ  Ｄｒｉｖｅ：ハードディスク記録装置）６８等に、ＥＸＩＦ  ＪＰＥＧなどのファイル形式で記録される。
【００４７】
連写撮影の場合も、上記スチル撮影を高速で繰り返し行い、撮像素子７３から高速度で読出した撮像信号をＤＳＰ部７５などに高速で出力する。このときも同様に、データ・メモリ７０又はＨＤＤ記憶装置６８に、符号化画像データが記憶される。
【００４８】
動画撮影の場合も同様に、被写体像の撮像信号を撮像素子７３で撮像して、ＤＳＰ部７５で信号処理された画像データを、動画像ＣＯＤＥＣ（符号器／復号器）８１により、ＭＰＥＧ４やＨ．２６４／ＡＶＣなどの圧縮符号化方式に対応して圧縮符号化され、ＡＶＩやＭＰ４などのファイル形式で、データ・メモリ７０やＨＤＤ記憶装置６８などに記録される。
【００４９】
なお、データ・メモリ７０やＨＤＤ記憶装置６８などに記録された画像データファイルは、画像メモリ媒体７１又はＵＳＢインターフェース（図示しない）など外部入出力インタフェースを介して、パーソナルコンピュータやプリンタに転送可能である。加えて、パーソナルコンピュータ内にある大容量ＨＤＤ装置への画像データファイルの蓄積記録、ＣＤ−ＲやＤＶＤなどのディスク媒体への保存記録、撮影画像のモニタへの再生表示、パーソナルコンピュータ内の画像編集ソフトなどを用いた撮影画像や録画済映像の編集、さらにプリンタでの印刷が可能である。
【００５０】
［イメージセンサ］  撮像素子７３を、従来のようにＣＣＤ（Ｃｈａｒｇｅ  Ｃｏｕｐｌｅｄ  Ｄｅｖｉｃｅ：電荷結合素子）イメージセンサで構成する場合には、入射光によってフォトダイオードに発生した信号電荷を増幅せずにそのまま、垂直と水平のＣＣＤ転送路によって順繰りに転送され、出力回路で初めてＦＤ（Ｆｌｏａｔｉｎｇ  Ｄｉｆｆｕｓｉｏｎ）アンプにより信号電圧に増幅されて出力される。ＣＣＤから出力された撮像信号は、ＣＤＳ回路（Ｃｏｒｒｅｌａｔｅｄ  Ｄｏｕｂｌｅ  Ｓａｍｐｌｉｎｇ：相関二重サンプル回路）でノイズ除去並びにサンプル及びホールド処理され、ＡＧＣ（自動利得制御）アンプで増幅され、ＡＤＣ（Ａｎａｌｏｇ−Ｄｉｇｉｔａｌ  Ｃｏｎｖｅｒｔｅｒ、Ａ／Ｄ変換器）でデジタル撮像信号に変換されて、ＤＳＰ部７５に出力される。
【００５１】
一方、撮像素子７３をＣＭＯＳ（Ｃｏｍｐｌｅｍｅｎｔａｒｙ  Ｍｅｔａｌ  Ｏｘｉｄｅ  Ｓｅｍｉｃｏｍｄｕｃｔｏｒ：相補型金属‐酸化膜半導体）イメージセンサで構成する場合には、一般的なＡＰＳ（Ａｃｔｉｖｅ  Ｐｉｘｃｅｌ  Ｓｅｎｓｏｒ：増幅型画素センサ）型のＣＭＯＳセンサでは、フォトダイオードを含む単位画素回路毎に増幅素子が内蔵されており、フォトダイオードで光電変換された信号電荷は画素回路内のアンプで一旦増幅され、垂直走査回路からの行アドレス選択信号と水平走査回路からの列選択信号によりＸＹアドレス方式で選択された画素毎の撮像信号が、出力から順次電圧または電流として取り出すことができる。
【００５２】
ＣＣＤセンサでは順番に取り出さなくてはならないが、ＣＭＯＳセンサでは、任意の画素や領域の撮像信号だけを、任意の順序で取り出しできる。そのため、デジタルズーム処理で所定領域のみを切出して読出す場合に、高速読み出しが可能である。また、ＣＣＤセンサでは、信号電荷をそのまま転送するためスミアやノイズに弱い。しかしながらＣＭＯＳセンサでは、画素毎にランダムアクセスで読出せ、各画素回路は電気的に分離しているため、伝送ノイズに強い。さらに、ＣＭＯＳ  ＬＳＩ等と同様に、同じ製造プロセスで、イメージセンサ部の周辺に、加算演算回路などデジタル論理回路や信号処理回路などを高集積化して比較的容易に一緒に作りこめるという利点もある。
【００５３】
反面、上記ＣＭＯＳセンサでは、画素毎のアンプの閾値など個々の素子バラツキによる固定パターンノイズ（ＦＰＮ）や暗電流、ｋＴＣ雑音が大きい難点があったが、最近では、（ＣＣＤと同様に）埋め込みフォトダイオードとＦＤアンプを用いる構造にして、暗電流流とｋＴＣ雑音を低減できるようになった。また、列信号線毎に並列に並んだ列回路に設けたＣｏｌｕｍｎ型のＣＤＳ／ＡＤＣ回路等により、フォトダイオードをリセットする前と後の信号を減算して固定パターンノイズ（ＦＰＮ）を除去できるようになり、列回路毎に積分型や巡回型、逐次型などのＡＤ変換器を組み込んで、デジタル信号での撮像信号出力も容易になった。
【００５４】
［高速度イメージセンサ、選択読出しと画素加算、撮像信号の高速出力］  図３は、本発明の第１の実施形態に係る高速度カメラの撮像素子７３の構成を示すブロック図である。
【００５５】
図３に示すように、撮像素子７３は、複数の単位画素回路７３ａ１をから構成されるイメージセンサ部７３ａ、ＣＤＳ回路７３ｂ、Ａ／Ｄ変換回路７３ｃ、画素加算回路７３ｄ、符号器７３ｅ、並列／直列変換回路７３ｆ、タイミング発生回路７３ｇ、垂直走査回路７３ｈ、水平走査回路７３ｉ、トランスミッタ７３ｊから構成されている。
【００５６】
高速度カメラに採用される撮影素子においては、各カラム回路（列回路）部にＣＤＳ／ＡＤＣ回路／画素加算回路を設け、また、デジタル撮像信号をＰ／Ｓ変換回路により並列／直列変換して出力するという構成のＣＭＯＳイメージセンサが有効である。
【００５７】
［ＣＤＳ／ＡＤＣ回路、画素加算回路］  図４Ａは、本発明の第１の実施形態に係る高速度カメラの撮像素子７３の詳細な構成を示す回路図であり、撮像素子内に設ける画素加算回路の例として、ＣＭＯＳイメージセンサ内のＣＤＳ回路７３ｂ、Ａ／Ｄ変換回路７３ｃなど列回路部に画素加算回路を設けた例を示す。
【００５８】
図４Ａに示すように、撮像素子７３は、単位画素回路７３ａ１、ＣＤＳ回路７３ｂ、Ａ／Ｄ変換回路７３ｃ、ラッチ７３ｃ１、符号器７３ｅ、並列／直列変換回路７３ｆ、水平走査回路７３ｉ、トランスミッタ７３ｊ、演算回路７３ｋ、ラッチ７３ｋ１、ラッチ７３ｋ２、ＡＬＵ７３ｋ３、ラッチ７３ｋ４、演算回路７３ｍ、ラッチ７３ｍ１、ラッチ７３ｍ２、ＡＬＵ７３ｍ３、ラッチ７３ｍ４、ＡＤＣ基準信号（Ｒａｍｐ波形）７３ｎ、１０ビットカウンタ７３ｐ、を有している。また、ＤＳＰ７５は、Ｓ／Ｐ変換回路７５ｂ、レシーバ７５ｂ１を有している。
【００５９】
図４Ａに示すように、高速のＣＭＯＳイメージセンサを構成するために、ＣｏｌｕｍｎＡＤＣ方式の列回路に加算回路と高速転送回路を設けており、本実施形態の高速度カメラに用いる撮像素子７３では、任意サイズの画像領域を選択して、領域内の画素の撮像信号を読み出す選択読出しができるように構成している。
【００６０】
図３、図４Ａに示すように、列回路部に設けられたＣＤＳ回路７３ｂ、Ａ／Ｄ変換回路７３ｃ又は水平走査回路７３ｉの後段部分に、各画素に隣接する同色フィルタの複数の画素の撮像信号同士をデジタル信号で加算するＡＬＵ７３ｋ３、ＡＬＵ７３ｍ３を演算回路７３ｋ、７３ｍに設けて、デジタルズーム時や高感度撮影時には、選択領域内の画素データを任意の行列毎に複数画素分加算された撮像信号を読出しできるように構成する。これにより、画素あたりの撮影感度を実質的に加算数分だけ上げることができ、短い露出時間又は速いシャッタ速度でも露出が良好な撮影ができ、高速レートの動画撮影又は連続撮影でも画像データ量の小さい撮像信号に変換して出力できる。
【００６１】
なお、選択読出された選択領域の撮像信号、さらに画素加算された撮像信号は、列回路部に設けられたＣＤＳ回路７３ｂ、Ａ／Ｄ変換回路７３ｃから水平走査回路７３ｉの列選択信号により選択された列信号が順次出力されるが、このとき、高速クロックに同期させて並列デジタル信号として出力するか、または、並列のデジタル信号を符号化し、並列／直列変換回路７３ｆにより並列／直列変換してトランスミッタ７３ｊから、直列のデジタル撮像信号としてＤＳＰ部７５に出力することで、高解像度の撮像信号を高速フレームレートでＤＳＰ部７５に転送出力することができる。
【００６２】
図４Ａに示すように、並列に並んだ列回路に設けるＣＤＳ回路、ＡＤＣ回路の具体的構成には、各種方式が開発されているが、本実施形態では、いわゆる「Ｃｏｌｕｍｎ  ＡＤＣ方式」のＣＤＳ回路７３ｂ、Ａ／Ｄ変換回路７３ｃを用いて、列毎に並列処理するＡ／Ｄ変換器により、画素の固定パターンノイズ（ＦＰＮ）を抑圧しながらデジタル信号に変換する。Ｃｏｌｕｍｎ  ＡＤＣ方式のＣＤＳ回路７３ｂでは、固定パターンノイズを抑圧するために、粗精度と高精度の２段階のクランプ（Ｃｌａｍｐ）回路を用いる。一般に、クランプは、信号のあるレベルを基準電圧に置き換える動作で、クランプ回路は例えば、キャパシタとスイッチで構成され、キャパシタの出力側がスイッチにより基準電圧にセットされる。
【００６３】
図４Ｂは、ＣＤＳ回路７３ｂ、Ａ／Ｄ変換回路７３ｃの動作を説明するためのタイミングチャートである。図４Ｂに示すタイミングチャートにおいて、まず、列回路部の反転バッファＡ１、Ａ２に並列接続されたクランプスイッチＳ１、Ｓ２を第１クランプ期間において同時に閉じてから、クランプスイッチＳ１を先に開くと、点Ｖｉｎの電位が、Ａ１の閾値電圧にＳ１スイッチングのバラツキが加算された電圧に粗い精度でクランプされるが、Ｓ２は閉じたままなので、その電圧がＡ２入力の閾値電圧になる。その後、Ｓ２を開くと、Ａ２にもスイッチングのバラツキを含む電圧がクランプされ、クランプ動作が完了する。Ｓ２スイッチングのバラツキ成分はＡ２の利得で割った分がＶｉｎ側のバラツキに還元されるので、Ｖｉｎ側から見るとクランプ精度が向上して、クランプ回路で発生する縦筋状の固定パターンノイズ（ＦＰＮ）の発生が抑えられる。
【００６４】
次に、行読出し線（転送ゲート線ＴＧ）にパルスが立ち上がると、画素信号が列信号線に現れるので、スイッチＳ４を閉じてサンプリングする。サンプリング完了後、スイッチＳ３を開いて、Ａ／Ｄ変換用のランプ波形（ＲＡＭＰ波形、順次電圧が上昇する傾斜状、階段状の波形）の基準信号をスイッチＳ４から加えると、ランプ波形に応じてＶｉｎの電圧がやがてクランプ回路の閾値を越えてＡ２の出力が反転し、反転する電圧までの１０ビットカウンタ７３ｐの値がデジタルの画素信号値としてラッチ７３ｃ１に記憶され、Ａ／Ｄ変換処理が終了する。
【００６５】
［画素加算動作］  このようなＣＤＳ回路７３ｂ、Ａ／Ｄ変換回路７３ｃを含む列回路の後に、列加算回路（垂直加算回路）などの演算回路７３ｋを設け、行アドレス選択された画素の信号を列信号線から読出し、ＣＤＳ回路７３ｂ、Ａ／Ｄ変換回路７３ｃでノイズ除去されデジタル変換されたデジタル並列信号を、ラッチクロック信号でラッチ回路７３ｋ１にラッチし、同じく選択された同じ列で異なる行の画素のデジタル並列信号を、同様に別のタイミングのラッチクロック信号で別のラッチ回路７３ｋ２にラッチして、両方のラッチ回路の出力同士を列加算回路を構成するＡＬＵ７３ｋ３でデジタル加算する。
【００６６】
また、水平信号線からの信号出力部に、行加算回路（水平加算回路）などのデジタル演算回路７３ｍを設け、列加算された信号同士をラッチクロック信号で選択して水平信号線に読出し、ラッチ回路７３ｍ１，７３ｍ２にラッチして、両方のラッチ回路の出力同士を行加算回路を構成するＡＬＵ７３ｋ４でデジタル加算する。
【００６７】
カラー撮像の場合には、例えば、「Ｂａｙｅｒ配列」等の千鳥状に２画素周期で交互に並んだＲＧＢ各色カラーフィルタに対応する各画素から、列方向に（一つ飛ばしで）隣接する同色フィルタの画素同士を、Ｒ画素はＲ画素同士で、Ｇ画素はＧ画素同士で、Ｂ画素はＢ画素同士で、列方向に複数加算し、また、行方向に（一つ飛ばしで）隣接する同色フィルタの複数の画素を行方向に加算して読み出すことで同色の画素の信号同士が複数画素分加算できる。
【００６８】
また、加算された撮像信号のデジタル信号は符号器７３ｅにより所定の符号化を行うとともに、並列／直列変換回路７３ｆにより並列／直列変換して順次シリアル（直列）のデジタル信号に変換されてトランスミッタ７３ｊから出力され、ＤＳＰ部７５のレシーバ７５ｂ１に転送される。ここで、入力された制御信号に応じて有効撮像領域中の全領域の画素の撮像信号を読出すことを全面素読出しモードと呼び、有効撮像領域中の選択された部分領域の画素の撮像信号を選択して読出すことを選択読出しモードと呼び、制御信号に応じて全領域又は選択された部分領域の水平及び／又は垂直方向の複数の画素の撮像信号を加算して読出すことを加算読出しモードと呼び、加算せずに読み出すことを加算なし読出しモードと呼ぶ。
【００６９】
［その他のＣＤＳ回路、ＡＤＣ回路、加算回路］  なお、本実施形態においては、ＣＤＳ回路、ＡＤＣ回路をＣｏｌｕｍｎ  ＡＤＣ方式で構成したが、たとえば、単純なＣｏｌｕｍｎ  ＣＤＳ方式や、ＤＤＳ方式（Ｄｏｕｂｌｅ  Ｄａｔａ  Ｓａｍｐｌｉｎｇ）、電荷領域差分方式など、他のＣＤＳ回路、ＡＤＣ回路や加算回路で構成しても良い。
【００７０】
例えば、特開２００５−２７８１３５号公報「固体撮像装置および団体撮像装置の駆動方法」（図示しない）には、積分型ＡＤＣを列並列ＡＤＣ比較器およびアップ／ダウン・カウンタを用いて、ＣＤＳ回路、ＡＤＣ回路を構成して、デジタル画素値をメモリ部に書込み、例えば、カウンタをリセットせずに次の画素値を続けてカウントさせ、加算器なしで加算演算を行えるようにしたＣＭＯＳイメージセンサの構成例が開示されている。本実施形態においても、このような加算回路を用いて画素加算処理を行ってもよい。
【００７１】
［ＣＭＬ、ＬＶＤＳなどの高速シリアル転送回路］  上述のように、加算された撮像信号のデジタル信号は、並列／直列変換回路７３ｆで順次シリアル（直列）のデジタル信号に変換され、トランスミッタ７３ｊからＤＳＰ部７５に設けられたレシーバ７５ｂ１に転送される。なお、高解像度で高速フレームで撮像するためには、撮像信号を高速でＤＳＰ部７５に転送する必要がある。
【００７２】
一般のＣＭＯＳからなる入出力回路では、入出力信号の振幅は、電源電圧の範囲において一杯の範囲で振らせるので、消費電力が大きくなるばかりでなく、転送できる速度も遅くなってしまう。
【００７３】
例えば、ＣＭＬ系（Ｃｕｒｒｅｎｔ  Ｍｏｄｅ  Ｌｏｇｉｃ、電流モードロジック）の入出力回路では、トランジスタを不飽和領域で使用して、インピーダンスを低くし、（電圧を振らせるというよりは）電流をｏｎ／ｏｆｆさせる方法で、（Ｖｄｄ−０．４Ｖ）の電位を中心に低振幅で動作させる。浮遊容量を充・放電する量が少なくなるので高速動作できる。
【００７４】
また、ＬＶＤＳ系（Ｌｏｗ−Ｖｏｌｔａｇｅ  Ｄｉｆｆｅｒｅｎｔｉａｌ  Ｓｉｇｎａｌｉｎｇ、小振幅差動信号方式）は、２本の信号線を使って情報を運ぶ差動信号方式で、単一チャネルあたり数百〜数千Ｍｂｐｓ（メガビット／秒）の高速度でデータ伝送でき、かつ、ｍＷレベルの低消費電力の差動データ伝送方式として、内部バスの信号線の本数等を減らせるため、通信機器や表示装置や、映像信号のデジタル入出力インタフェースとして普及している。
【００７５】
ＬＶＤＳ系では、２本の配線を必要とするが、電流モード・ドライバの採用と、＋１．２Ｖ電位を中心に０．３Ｖの上下振幅内で振らせる小振幅によって、コモンモードノイズを除去でき、広い周波数範囲に対して高いノイズ耐性が得られる。
【００７６】
このように、ＣＭＯＳ回路でも、高速でシリアル伝送できるＣＭＬ系やＬＶＤＳ系などによる低振幅の入出力インタフェースを用いて、直列信号に変換されたデジタル撮像信号を撮像素子の出力回路（送信トランスミッタ）から出力して、後段のＤＳＰ部７５へ高速で伝送し、ＤＳＰ部７５に設けられた入力回路（受信レシーバ）で受信した直列デジタル信号をＳ／Ｐ変換回路７５ｂで並列デジタル信号に変換してから、デジタル撮像信号として映像信号処理に用いることができる。
【００７７】
［ＤＳＰ部（デジタル信号処理部）］  撮像素子７３がＣＭＯＳからなるイメージセンサの場合には、ＣＭＯＳセンサ内蔵のＣＤＳ回路、ＡＤＣ回路でノイズ除去およびデジタル変換され、同じく内蔵の高速出力回路から直列のデジタル信号で転送されたデジタル撮像信号がＤＳＰ部７５に入力される。
【００７８】
ＤＳＰ部７５は、撮像素子７３から直列のデジタル信号で転送されたデジタル撮像信号をＳ／Ｐ変換回路７５ｂで並列デジタル信号に変換し、並列デジタル信号をバッファメモリ（Ａ）７５ｃに順次に記憶するとともに、バッファメモリ（Ａ）７５ｃから読み出した並列デジタル信号をＷＢ補正回路７５ｄに出力する。次いで、ＷＢ補正回路７５ｄでホワイトバランス調整やカラーバランス調整を行った後に、撮像素子７３の前面に設けられたモザイク状の「Ｂａｙｅｒ配列」や、千鳥配列されたＲＧＢなどのカラーフィルタ配列に従って、画素毎には一つの色成分しか持たないが、他の色差成分の画素値も、近隣周辺の画素値から画素補間（Ｐｉｘｅｌ  Ｓｉｇｎａｌ  Ｉｎｔｅｒｐｏｌａｔｉｏｎ）して求めて（カラー補間処理）、画素毎にＲＧＢ色差成分毎の階調値を持つデジタル画像データに変換される。
【００７９】
また、カラー補間の前に、必要に応じて、画素補間／リサイズ回路７５ｅにより、撮像画像サイズを異なる画像サイズに変換する解像度変換処理（Ｒｅｓｏｌｕｔｉｏｎ  Ｃｏｎｖｅｒｓｉｏｎ）を行う場合もある。
【００８０】
画素補間／リサイズ回路７５ｅでは、例えば、スルー画像や再生画像をファインダや画像モニタに表示する為にＶｉｄｅｏ  ＲＡＭや表示ドライバ内の表示ＲＡＭ領域に書込むために、（ＶＧＡサイズなどの）所定の画像サイズ（画素数）に変換するリサイズ（Ｒｅｓｉｚｅ）、または補間処理（Ｉｎｔｅｒｐｏｌａｔｉｏｎ）を行う。あるいは、撮影記録時に、所望の記録画像サイズで記録する為に、設定記録画像サイズに縮小／拡大する処理や、リサイズ／補間処理または解像度変換処理を行う。
【００８１】
さらに、ＤＳＰ部７５では、ガンマ補正回路７５ｈにより階調補正されたＲＧＢ系のデジタル画像信号はバッファメモリ（Ｂ）７７に一時記憶された後、ＬＣＤモニタなど電子ファインダに再生表示されるか、マトリクス回路７５ｉでＲＧＢ系からＹＵＶ系／ＹＣｂＣｒ系など所定の色空間の画像信号に変換され、画像ＣＯＤＥＣ７９により、ＪＰＥＧ静止画像データやＭＰＥＧ４やＨ．２６４動画像データなどに圧縮／符号化処理される。なお、コントローラ７５ａは、ＣＰＵ５３ｇにより設定されたデータや条件に応じて、ＤＳＰ部７５内部に設けられたＳ／Ｐ変換回路７５ｂ、バッファメモリ（Ａ）７５ｃ、ＷＢ補正回路７５ｄ、画素補間／リサイズ回路７５ｅ、カラー補間回路７５ｆ、輪郭補正回路７５ｇ、ガンマ補正回路７５ｈ、マトリクス回路７５ｉ、画像特徴処理部７５ｊ、画像認識処理部７５ｋ、画像評価処理部７５ｍなど各回路を制御する。
【００８２】
［高速度撮影の撮影速度］  従来の業務用の高速度カメラなどでは、銀塩フィルム時代のフィルム送り機構の制約などから、コマ毎に必要な露出時間の約５倍程度の時間間隔を設けて連続撮影速度やフレーム速度を設定して撮影する場合が多かった。これを基準に、シャッタ係数をα＝５程度に設定する場合が多かったが、これは、必ずしも所要の撮影速度から決められたものではなく、フィルム送り機構の制約などから、あるいは、習慣的に決められている場合が多かった。
【００８３】
また、従来のデジタルカメラでは、露出時間は１／１０００秒から１／８０００秒など微少時間で撮影できるものでも、連写撮影の速度は、ＣＣＤなど使用する撮像素子の制約、例えば、撮像電荷を垂直および水平転送路で順に伝送して読み出す原理上、撮像信号の読出しに要する時間や、読出し後の信号処理時間などの制約から、せいぜい３〜８枚／秒程度の連写しかできなかった。
【００８４】
本実施形態のように、撮像信号を高速度で読出し可能な高速度ＣＭＯＳからなる撮像素子７３、および、高速度で信号処理や符号化処理できるＤＳＰ部７５などを用いた場合にも、撮像信号の読出し時間や信号処理時間による制約は免れないが、従来のＣＣＤなどによるデジタルカメラに比べると数十倍の高速度で読出しや信号処理が可能となるので、所望の動く被写体や微少時間に起こる現象などを、適切な露出条件で、かつ、ブレなく撮影できるような条件を満たしさえすれば、上記のシャッタ係数αのような制約は、任意に設定することも可能となる。
【００８５】
例えば、撮影速度（フレーム速度）Ｒ（ｆｐｓ）は、シーン毎に設定された撮影倍率Ｍや被写体の移動速度Ｖなどの設定情報に従って、
Ｒ＝（Ｍ×Ｘ）／（ｄ×α）                  （１）
【００８６】
ただし、Ｒ：撮影速度（コマ／秒）、Ｍ：撮影倍率＝イメージサイズ（Ｙ´）／被写体サイズ（Ｙ）、Ｖ：被写体の移動速度（ｍｍ／秒）、ｄ：許容錯乱円径、α：シャッタ係数（α＝１〜５など）、などの計算式から、撮影速度の目安を算出し、それに基づいて撮影速度Ｒを設定する。
【００８７】
同一シーンでも、操作に応じて、または、所望の作画表現に応じて、ユーザ所望の撮影速度や、撮影時間、画像サイズ、撮影感度、画素加算による感度ＵＰなどの条件を選択できるようにして、その条件を満たした中で、上記の自動設定をしてもよい。
【００８８】
［高速度撮影の必要な露出時間］  例えば、必要な露出時間（Ｔ）は、シーン毎に設定された撮影倍率（Ｍ）や被写体の移動速度（Ｖ）などの設定情報に従って、
Ｔ＝β×ｄ／（Ｍ×Ｖ）                      （２）
ただし、Ｔ：露出時間（秒）、ｄ：許容錯乱円径、Ｍ：撮影倍率＝イメージサイズ（Ｙ´）／被写体サイズ（Ｙ）、Ｖ：被写体の移動速度（ｍｍ／秒）、β：係数（β＝０．２〜１．０）、または、
Ｔ＝β×Ｙ´／（ｍ×Ｍ×Ｖ）                （３）
【００８９】
ただし、Ｔ：露出時間（秒）、Ｙ´：撮像素子のイメージサイズ（ｍｍ）、ｍ：撮像素子の画素数、Ｍ：撮影倍率、Ｖ：被写体の移動速度（ｍｍ／秒）、β：係数（β＝０．２〜１．０など）、などの計算式で必要露出時間の目安を算出し、それを満たす範囲で、測光値や照明条件に応じて、露出時間Ｔを設定する。
【００９０】
［連写撮影時のレビュー表示］  図５Ａは、本発明の高速度カメラが、複数の撮影条件の組合せを少しずつ変えながら連写するマルチ条件連写を行う場合の概略的な動作を説明するためのフローチャートであり、図５Ｂは、図５Ａに示す各ステップに対応する動作を説明するための画面例である。
【００９１】
図２に示す高速度カメラの全体構成図を参照して、図５Ａに示すフローチャートを説明する。
【００９２】
まず、ステップＳ１０では、ＣＰＵ５３ｇは、操作入力部５１から入力回路５３ｅを介して入力される操作情報に応じて所望の撮影モード、撮影シーンを選択し、さらにファインダ表示条件を選択する。この様子は図５Ｂ（ａ）に示すように画像表示部８５に撮影シーンとして「人物」が選択されたことが表示される。
【００９３】
次いで、ステップＳ１５では、ＣＰＵ５３ｇは、選択された撮影モードや撮影シーンに応じて、撮影条件の組合せ及び連写撮影枚数を適宜自動的に配分してコントローラ７５ａに設定する。
【００９４】
次いで、ステップＳ２０では、ＣＰＵ５３ｇは、操作入力部５１からのレリーズ操作に応じて、設定された撮影条件で設定枚数の画像の連続撮影を開始するよう撮影開始指令をコントローラ７５ａに出力する。ここで、操作入力部５１から入力される１回のレリーズ操作に応じて、撮影動作に入ると、コントローラ７５ａに設定された複数の撮影条件の組合せの条件に従って、それぞれ設定された枚数の画像を高速で続けて連続撮影するように撮像素子７３とＤＳＰ部７５が制御される。この様子は、図５Ｂ（ｂ）に示すように、撮影条件の組合せ毎の撮影枚数が、適宜自動的に配分して設定され、撮影条件毎に枚数が異なるサムネイルが画像表示部８５に表示される。ここにおいて、連続撮影された撮影画像の縮小画像を順次追加表示する場合に、設定された当該画像の撮影条件別に、異なる行、列、並びのいずれかに追加表示して、連続撮影画像のレビュー表示を行うことができる。
【００９５】
次いで、ステップＳ２５では、ＣＰＵ５３ｇは、撮影条件のサムネイルを、表示設定条件に従って、撮影順又は撮影条件ごとに画像表示部８５にレビュー表示する。
【００９６】
次いで、ステップＳ３０では、操作入力部５１からの操作情報に含まれるモード情報に基づいて、ＣＰＵ５３ｇは、表示条件の設定データをデータ・メモリ７０に記憶する。ここで、データ・メモリ７０は、複数のシーン別に撮影条件の設定値の組合せを設定するための設定データを記憶することもできる。
【００９７】
次いで、ステップＳ３５では、操作入力部５１からの操作情報に含まれるモード情報に基づいて、ＣＰＵ５３ｇは、スルー画像をレビュー画像と同時に表示するか否か判断する。ここで、レビュー表示のみを表示する場合、ステップＳ４０に進み、ＣＰＵ５３ｇは、撮影画像のサムネイルのみを画像表示部８５にレビュー表示する。この様子は、図５Ｂ（ｃ）に示すように、異なるサムネイルが画像表示部８５に、左から右方向に並列にタイリング（敷詰めるように並べる）表示される。ここにおいて、連続撮影された撮影画像の縮小画像を、撮影毎に、横方向、縦方向、斜め方向のいずれかの方向に、順次に画像表示部８５に敷き詰めるように並べて追加表示して、レビュー表示を行うことができる。
【００９８】
スルー画像をレビュー画像と同時に表示する場合、ステップＳ４５に進み、ＣＰＵ５３ｇは、被写体像のスルー画像と同時に撮影画像のサムネイルを画像表示部８５にレビュー表示する。この様子は、図５Ｂ（ｄ）に示すように、異なるサムネイルが画像表示部８５に、左から右方向にカスケード（滝のように流れるように連続して並べる）表示され、さらに最後の撮影画像のサムネイルが拡大表示される。ここにおいて、連続撮影された撮影画像の縮小画像を、撮影毎に順次追加表示して、画像表示部８５にレビュー表示を行うとともに、被写体像のスルー画像の表示を、画像表示部８５にレビュー表示と並列もしくは重畳して表示することができる。
【００９９】
次いで、ステップＳ５０では、ＣＰＵ５３ｇは、並列表示か重ね表示か否かを判断する。ここで、重ね表示の場合、ステップＳ５５に進み、ＣＰＵ５３ｇは、レビュー画像を順に部分的に重ねて画像表示部８５に表示する。この様子は、図５Ｂ（ｅ）に示すように、異なるサムネイルが画像表示部８５に、左から右方向にスタック（積み重ねて並べる）表示され、さらに最後の撮影画像のサムネイルが拡大表示される。連続撮影された撮影画像の縮小画像を、撮影毎に、横方向、縦方向、斜め方向のいずれかの方向に、順次前回の撮影画像の縮小画像の上に、少なくともその一部が積み重なるように追加表示して、画像表示部８５にレビュー表示を行うことができる。
【０１００】
並列表示の場合、ステップＳ６０に進み、ＣＰＵ５３ｇは、レビュー画像を重ねずに並列に並べて画像表示部８５に表示する。この様子は、図５Ｂ（ｆ）に示すように、撮影条件毎に異なるサムネイルが画像表示部８５に、左から右方向に撮影画像のレビュー画像が同時に多数枚表示され、さらに最後の撮影画像のサムネイルが拡大表示される。
【０１０１】
次いで、ステップＳ６５では、ＣＰＵ５３ｇは、操作入力部５１での設定が画像表示部８５への順次スクロール表示か否か判断する。ここで、順次スクロール表示しない場合、ステップＳ７０に進み、ＣＰＵ５３ｇは、表示領域が一杯になった場合には、表示駆動回路８３に、表示をクリアにするように指示し、画像表示部８５に新しく更新表示する。この様子は、図５Ｂ（ｇ）に示すように、撮影条件毎に異なるサムネイルが画像表示部８５に左から右方向に並べて表示され、さらに最後の撮影画像のサムネイルが拡大表示される。ここにおいて、画像表示部８５上の表示列、行、表示位置のいずれかが一杯のとき、または、最後の表示位置に該当するときには、表示された撮影画像のレビュー表示を全て消去させ、初期の表示位置から追加表示を再開することができる。
【０１０２】
順次スクロール表示する場合、ステップＳ８０に進み、ＣＰＵ５３ｇは、表示を順次スクロール移動して、表示領域がいっぱいになった場合には、古い画像から順次消えていくように表示駆動回路８３に指示して更新表示する。この様子は、図５Ｂ（ｈ）に示すように、撮影条件毎に異なるサムネイルが画像表示部８５に、レビュー表示で表示領域や行、列が一杯（最後の表示位置）になった場合には、新たに最初の位置に戻って更新表示するか、あるいは、古い表示から消して、順次スクロール移動して最新のレビュー画像を優先して表示され、さらに最後の撮影画像のサムネイルが拡大表示される。ここにおいて、表示画面上の表示列、行、表示位置のいずれかが一杯のとき、または、最後の表示位置に該当するときには、最も古く表示された撮影画像のレビュー表示を消去させ、その他の撮影画像のレビュー表示を初期の表示位置の方向に順次平行移動して更新表示し、最新の撮影画像のレビュー表示を最後の表示位置に追加表示することにより、スクロール表示することができる。
【０１０３】
次いで、ステップＳ８５では、ＣＰＵ５３ｇは、連写撮影を終了するか否かを判断する。ここで、連写撮影を終了しない場合には、ステップＳ２５に戻り、上述した処理を繰り返す。
【０１０４】
連写撮影を終了する場合には、ステップＳ９０に進み、ＣＰＵ５３ｇは、撮影された画像（図５Ｂ（ｉ））、又はユーザに選択された画像を画像ＣＯＤＥＣ７９で符号化してデータ・メモリ７０に保存記録する。
【０１０５】
なお、ブラケティング撮影やマルチ条件連写の場合には、撮影条件の組合せ毎の行×列に整列して一覧表示されるようにしてもよい。また、レビュー表示の表示設定条件データに従って、撮影レビュー表示と同時に、被写体像のスルー画像を並べて又は重ねて表示できるようにするのが望ましい。また、スルー画像から撮影レビュー画像への遷移移動のアニメーションなどを描画表示し、スルー画像とレビュー画像との関係が把握しやすいように表示するのが望ましい。
また、設定モードなどで、ユーザ操作に従って、予めレビュー表示の表示設定条件を設定しておき、表示方法や表示画像の枚数、アニメーションやスクロールのＯｎ／Ｏｆｆ、効果音の選択やＯｎ／Ｏｆｆなどを、所望の表示方法に選択や設定できるようにするのが望ましい。なお、いずれかの撮影条件に従って、レビュー表示における表示条件の設定データを設定してもよい。あるいは、ファインダ表示の表示Ｏｎ／Ｏｆｆ切り替えの操作ボタン［ＤＩＳＰ］などの操作に応じて、複数のレビュー表示の表示方法の中から選択して切り替えできるようにしても良い。
【０１０６】
［レビュー表示の表示例］  図６Ａ、図６Ｂ、図７Ａ、及び図７Ｂに、連写撮影時の撮影レビュー表示の表示動作例を示す。
【０１０７】
図６Ａ（ａ）乃至（ｃ）は、高速連写時のシャッタアニメーションと撮影レビュー表示の表示例として、多数枚のレビュー表示を、順次、表示画面内に並列に並べて、タイリング表示（敷き詰めるように並べて表示）する例である。図６Ａ（ｂ）及び（ｃ）に示すような効果音の表示により、スピード感ある自動レビュー表示がなされるとともに、高速連写や超高速連写らしいイメージを表現でき、また、本発明の高速レビュー表示やアニメーションのスピード感により高速連写らしいリアクションをユーザにフィードバックさせながら、高速連写感を残したまま、サイレント（静穏）機能も生かすことができる。図６Ａ（ｄ）乃至（ｆ）は、横（左右）方向又は縦（上下）方向に、３行×３列、４行×４列、４行×５列などに並べるように表示する例である。
【０１０８】
図６Ｂ（ａ）のように、異なる表示サイズや順不同の位置にタイリング表示してもよく、また図６Ｂ（ｂ）のように撮影条件別にタイリング表示しても良い。あるいは、図６Ｂ（ｃ）のように、擬似立体的にタイリング表示するなど、その他の並べ方や表示方法で表示しても良い。
【０１０９】
図６Ｂ（ｄ）のように、撮影画像のレビュー表示と被写体像のスルー画像とを並べて又は重ねて同時表示できることが望ましい。また、図６Ｂ（ｆ）のように、レビュー画像が当該列に一杯になった場合には、スクロール表示でき、スルー表示領域（位置）から撮影レビュー表示領域（位置）へ画像表示または表示枠が移動する遷移移動のアニメーションなどを描画して表示できることも望ましい。
【０１１０】
図７Ａ及び図７Ｂに、シャッタアニメーション及び撮影レビュー表示の動作例として、撮影レビュー画像の順次スタック表示（積み重ねて表示）又はカスケード表示（連続して流れるように表示）を示す。
【０１１１】
タイリング表示の場合と同様に、表示設定条件に応じて、表示スタイルや表示方向、表示枚数などは各種の仕様の中からユーザが選択できるようにする。また、連写速度や連写枚数などに応じて、これらの表示仕様を自動的に選択して設定するように制御してもよい。即ち、設定された撮影条件、もしくは、当該連続撮影における少なくとも撮影速度、撮影フレーム速度、連続撮影枚数からなる撮影条件のうち、いずれかの撮影条件に従って、レビュー表示における表示条件の設定データを設定してもよい。
【０１１２】
図７Ａ（ｄ）乃至（ｆ）は、順次積み重ねて表示する例であり、最新の撮影のレビュー画像が一番上に表示される。図７Ａ（ｄ）では横（左右）方向に、図７Ａ（ｅ）では縦（上下）方向に、図７Ａ（ｆ）では斜め方向に順次積み重ねて表示する。
【０１１３】
図７Ｂ（ａ）は、レビュー表示の位置や向き（傾斜角度）、表示サイズなどを、順次ランダムに選択して積み重ねていくように表示する例で、これにより、連写撮影した画像の数が量的に把握しやすくなる。図７Ｂ（ｂ）は撮影条件毎に積み重ね表示する例であり、図７Ｂ（ｃ）は擬似立体的に表示する例である。
【０１１４】
また、図７Ｂ（ｄ）及び（ｅ）に示すように、目標被写体及び構図の確認並びに分かりやすさのためには、撮影レビュー表示に加え、スルー画像の表示も同時に並べて又は重ねて表示したり、スルー表示領域（位置）からレビュー表示領域（位置）へ画像表示するか、又はその表示枠が移動する移動アニメーション（動的な映像表示）などを描画したりできるようにすることが望ましい。
【０１１５】
なお、図７Ｂ（ｆ）に示すように、ユーザの所望に応じて背景画像を設定したり、ユーザの設定した表示仕様や表示スタイルなどを適宜設定したり、カスタムで追加設定できることも望ましい。
【０１１６】
［第１実施例］（選択シーンに応じて、複数撮影条件の組合せと枚数を自動設定）  図８に、本発明の第１実施例として、選択されたシーンに応じて、マルチ条件連写の複数撮影条件の組合せをコントローラ７５ａに自動設定する場合における、撮影シーン毎に予め記憶されている撮影条件の設定データの例を示す。ここで、撮影シーンの名称及び撮影シーンの見本画像を表示し、操作入力部５１からの操作に従って表示された複数のシーンの名称及び見本画像の中から撮影対象となる撮影シーンを選択してもよい。
【０１１７】
図８では、例として、「人物（ポートレート）」の撮影シーンでは、露出補正、ホワイトバランス、及び色色調の撮影条件が「マルチ条件連写」に設定され、「雪景色、スキー」の撮影シーンでは、露出補正及びホワイトバランスの撮影条件が「マルチ条件連写」に設定されている。
【０１１８】
各撮影シーンが選択されると、各撮影条件は、シーン毎に予め記憶された設定データの条件に設定されるが、シーン毎の各撮影条件の設定データにおいて、「オート」、または、「マルチ条件連写」と設定されている撮影条件がある場合に、撮影時にマルチ条件連写撮影が選択されているときには、これらの撮影条件は、複数の撮影条件の組合せ（マルチ条件）として選択され、それら撮影条件を少しずつ変えて分散された条件の組合せと、組合せ毎の枚数が自動的に設定されて順次撮影条件と枚数を変えながら連写撮影（マルチ条件連写）が行われる。その他の撮影条件は、シーン毎にデータ・メモリ７０に予め記憶された設定データの条件もコントローラ７５ａに設定して撮影される。
【０１１９】
［撮影条件の組合せ毎の枚数配分の具体例］  図９に示すように、シーン別の露出補正条件の配分設定データに従って、露出補正条件の配分割合が設定される。「人物」シーンでは、人物の顔の明るさなどが状況によりばらつく場合が多いので、顔や肌色などが比較的明るく撮影されるように、±ＯＥＶ補正が１９％、＋０．３ＥＶ補正が３７％、＋０．７ＥＶ補正が３３％、＋１ＥＶ補正が１１％のように、露出補正条件の配分割合が設定される。一方、「雪景色、スキー」シーンでは、「雪の白」が「白く」写るように、また、「雪景色のキラキラした明るさ」が強調された明るい画像となるよう、＋０．３ＥＶ補正が６％、＋０．７ＥＶが２１％、＋１ＥＶが２１％、＋１．３ＥＶが１８％、＋１．７ＥＶが１５％、＋２ＥＶが９％、＋２．３ＥＶが６％、＋２．７ＥＶが３％などのように、比較的露出補正（＋）側に広い範囲に、露出補正条件の配分割合が設定される。
【０１２０】
また、図１０に示すように、シーン別のホワイトバランス条件の配分設定データに従って、ホワイトバランス条件の配分割合が設定される。「雪景色、スキー」シーンでは、本来的に色温度が比較的高いものの、雪景色の色調が「青っぽく」、「雪らしく」撮影できるように、３５００Ｋ〜４０００Ｋ近辺の白熱電球並みに低い色温度にホワイトバランス条件を配分設定し、さらにゲレンデでのスキーシーンや人物撮影などで「青かぶりせず」に「自然な色」で撮影できるように、本来の色温度に近い４５００Ｋ〜６０００Ｋ近辺の色温度にも配分設定する。一方、人物を「屋内照明」で撮影するシーンでは、白熱電球や蛍光灯など各種の照明下の被写体を撮影する可能性が高いので、主な照明光源の色温度に合せて広範囲な色温度に配分設定する。
【０１２１】
図１１Ａ及び図１１Ｂに、選択シーンに応じて、撮影条件の組合せ毎の撮影枚数を配分した例を示す。撮影シーン別に設定された撮影条件の組合せ毎の割合が、それぞれの配分設定データの割合になるように配分設定する。
【０１２２】
図１１Ａ（ａ）乃至（ｄ）に、一例として、例えば、「人物」を「屋内」で撮影する場合であって、マルチ条件連写による撮影枚数Ｎが計６０枚と設定されている場合を示す。ここで、露出補正条件が、前述の「人物」シーンの露出補正条件の分散配分の割合になるよう、及びホワイトバランス条件は、「屋内、照明」のホワイトバランスの分散配分の割合になるように設定する。
【０１２３】
図１１Ａ（ａ）に示すように、マルチ条件連写による撮影枚数Ｎが計６０枚と設定されている場合には、±０ＥＶで１１枚（１９％）、＋０．３ＥＶで２２枚（３７％）、＋０．７ＥＶで２０枚（３３％）、＋１ＥＶで７枚（１１％）の計６０枚（１００％）となるように、それぞれの撮影枚数を設定する。
【０１２４】
図１１Ａ（ｂ）及び（ｃ）に示すように、上記で配分された±０ＥＶ補正では、色温度が２０００Ｋで１枚（１９％×１２％）、２５００Ｋで１枚（１９％×１０％）、３０００Ｋで２枚（１９％×１９％）、３５００Ｋで２枚（１９％×１５％）、４０００Ｋで１枚（１９％×７％）、４５００Ｋで１枚（１９％×１０％）、５０００Ｋで１枚（１９％×１０％）、５５００Ｋで１枚（１９％×１０％）、６０００Ｋで１枚（１９％×５％）、６５００Ｋで０枚（１９％×３％）の計１１枚となるよう、それぞれの撮影枚数をコントローラ７５ａに設定する。
【０１２５】
このように、合計枚数が６０枚で、かつ、シーン毎の露出補正条件の配分割合及びホワイトバランス条件の配分割合が共に満足するように、組合せ毎の撮影枚数が自動的に算出し、コントローラ７５ａに設定する。１回のレリーズ操作に応じて、撮影条件の組合せを変えながら、組合せ毎にコントローラ７５ａに設定された枚数ずつ、計６０枚の画像が高速で連続撮影される。
【０１２６】
図１１Ｂ（ａ）及び（ｂ）には、合計枚数が２０枚と設定されている場合を示す。他の枚数に設定されている場合も同様である。
【０１２７】
マルチ条件運写の合計撮影枚数をＮ、第１の撮影条件である「露出補正条件」の第（ｉ）番目の露出補正設定値をΔＥＶ（ｉ）とすると、露出補正設定値ΔＥＶ（ｉ）毎の撮影枚数ｎ（ｉ）は、当該シーンにおけるΔＥＶ（ｉ）の配分設定割合ＲＥＶ（ｉ）を、合計撮影枚数（Ｎ）に乗算して計算し、例えば、小数点以下を四捨五入などで整数化して、
ｎ（ｉ）＝ＩＮＴ（Ｎ×ＲＥＶ（ｉ）＋０．５）              （４）
等の計算式で略算して設定すればよい。
【０１２８】
第１の撮影条件の「露出補正条件」の設定値をΔＥＶ（ｉ）、かつ、第２の撮影条件の「ＷＢ（ホワイトバランス）条件」の設定値をＷＢ（ｊ）に設定して撮影する枚数ｍ（ｉ，ｊ）も、上で求めたΔＥＶ（ｉ）の撮影枚数ｎ（ｉ）を、各ＷＢ設定値ＷＢ（ｊ）の設定割合ＲＷＢ（ｊ）に乗算して、
ｍ（ｉ，ｊ）＝ＩＮＴ（ｎ（ｉ）×ＲＷＢ（ｊ）＋０．５）        （５）
等の計算式で略算してＷＢ補正回路７５ｄに設定すればよい。
【０１２９】
小数点以下の四捨五入による配分では、偏ることも多く、合計すると、設定合計枚数に対して増減する場合も生じる。そのため、適宜、低い割合の条件から順次減数したり、高い割合の条件から順次増数したりして合計枚数と調整してもよい。あるいは、小数での計算後、合計枚数に一致するまで、割合の高い条件の組合せから順次配分するなどの調整を行ってもよい。
【０１３０】
図１２Ａ及び図１２Ｂに、第１実施例（撮影シーンに応じて、撮影条件の組合せ毎の撮影枚数を制御）のカメラの連写撮影の制御フローチャートを示す。
【０１３１】
ステップＳ１１０では、ＣＰＵ５３ｇは、操作入力部５１での設定が撮影モードか否か判断する。ここで、撮影モードではない場合、ステップＳ１１５に進み、ＣＰＵ５３ｇは、操作入力部５１での設定が設定モードか否か判断する。設定モードではない場合、ステップＳ１２０に進み、ＣＰＵ５３ｇは、その他のモード処理へと進む。
【０１３２】
設定モードである場合、ステップＳ１２５に進み、ＣＰＵ５３ｇは、操作入力部５１での設定がレビュー表示の設定モードか否かを判断する。ここで、レビュー表示の設定モードではない場合、ステップＳ１３０に進み、ＣＰＵ５３ｇは、その他の設定処理を行う。
【０１３３】
レビュー表示の設定モードである場合、ステップＳ１３５に進み、ＣＰＵ５３ｇは、操作入力部５１での操作に応じて、撮影レビュー表示の表示設定条件データを選択してコントローラ７５ａに設定する。その後、復帰する。
【０１３４】
ステップＳ１１０で、ＣＰＵ５３ｇが、操作入力部５１での設定が撮影モードか否か判断した場合に、撮影モードである場合、ステップＳ１４０に進み、ＣＰＵ５３ｇは、操作入力部５１での操作に応じて、撮影シーン又は撮影条件をコントローラ７５ａに設定する。
【０１３５】
次いで、ステップＳ１４５では、ＣＰＵ５３ｇは、操作入力部５１での設定がマルチ条件の連写／ブラケティング連写か否か判断する。ここで、マルチ条件の連写／ブラケティング連写でない場合、ステップＳ１５０に進み、ＣＰＵ５３ｇは、その他の撮影モード処理へと進む。
【０１３６】
マルチ条件の連写／ブラケティング連写である場合、ステップＳ１５５に進み、ＣＰＵ５３ｇは、マルチ条件連写の撮影枚数Ｎをコントローラ７５ａに設定する。
【０１３７】
次いで、ステップＳ１６０では、ＣＰＵ５３ｇは、選択されたシーン毎の（露出補正など）第１撮影条件の分布設定データに基づいて、第１撮影条件の複数の設定値ΔＣ１（ｉ）と各撮影枚数ｎ（ｊ）をコントローラ７５ａに設定する。
【０１３８】
次いで、ステップＳ１６５では、ＣＰＵ５３ｇは、選択されたシーン毎の（ＷＢ設定など）第２撮影条件の分布設定データと第１撮影条件の設定値毎の撮影枚数に応じて、第２撮影条件の複数の設定値ΔＣ２（ｊ）と各撮影枚数ｍ（ｉ，ｊ）とをコントローラ７５ａに設定する。
【０１３９】
次いで、ステップＳ１７０では、ＣＰＵ５３ｇは、スルー表示指令をコントローラ７５ａに設定しスルー表示処理を行う。
【０１４０】
次いで、ステップＳ１７５では、ＣＰＵ５３ｇは、操作入力部５１にレリーズ／撮影操作があるか否かを判断する。ここで、レリーズ／撮影操作がない場合には、ＣＰＵ５３ｇは、復帰する。
【０１４１】
レリーズ／撮影操作がある場合には、ステップＳ１８０に進み、ＣＰＵ５３ｇは、測光処理を行い、適正露出条件など第１撮影条件（露出条件）と第２撮影条件（ＷＢなど）の基準値Ｃ１０、Ｃ２０をコントローラ７５ａに設定する。
【０１４２】
次いで、ステップＳ１８５では、ＣＰＵ５３ｇは、計算値Ｉ＝１、ＳＳ＝０に設定する。
【０１４３】
次いで、ステップＳ１９０では、ＣＰＵ５３ｇは、（ｉ）番目の第１撮影条件の設定値をＣ１０＋ΔＣ１（ｉ）に補正してコントローラ７５ａに設定する。
【０１４４】
次いで、ステップＳ２００では、ＣＰＵ５３ｇは、Ｊ＝１、Ｓ＝０にする。
【０１４５】
次いで、ステップＳ２０５では、ＣＰＵ５３ｇは、（ｊ）番目の第２撮影条件の設定値をＣ２０＋ΔＣ２（ｊ）に補正して設定し、Ｋ＝０にする。
【０１４６】
次いで、ステップＳ２１０では、ＣＰＵ５３ｇは、設定撮影条件にて、露出及び撮影処理を行う。
【０１４７】
次いで、ステップＳ２１５では、ＣＰＵ５３ｇは、コントローラ７５ａをスルー表示／撮影レビュー表示処理に設定してスルー表示／撮影レビュー表示処理に設定を行う
【０１４８】
次いで、ステップＳ２２０では、ＣＰＵ５３ｇは、計算値Ｋ＝Ｋ＋１、Ｓ＝Ｓ＋１、ＳＳ＝ＳＳ＋１に設定する。
【０１４９】
次いで、ステップＳ２２５では、ＣＰＵ５３ｇは、コントローラ７５ａから撮影枚数を読み出し、当該設定枚数ｍ（ｉ，ｊ）だけ撮影したか否か、即ちＫ≧ｍ（ｉ，ｊ）か否かを判断する。ここで、Ｋ≧ｍ（ｉ，ｊ）でない場合には、ステップＳ２１０に戻り、ＣＰＵ５３ｇは、上述した処理を繰り返す。
【０１５０】
Ｋ≧ｍ（ｉ，ｊ）である場合には、ステップＳ２３０に進み、ＣＰＵ５３ｇは、計算値Ｊ＝Ｊ＋１に設定する。
【０１５１】
次いで、ステップＳ２３５では、ＣＰＵ５３ｇは、第２撮影条件の最後の補正条件の撮影を終了するか否か、即ちＪ≧Ｊｍａｘ又はＳ≧ｎ（ｉ）か否かを判断する。ここで、Ｊ≧Ｊｍａｘ又はＳ≧ｎ（ｉ）でない場合には、ステップＳ２０５に戻り、ＣＰＵ５３ｇは、上述した処理を繰り返す。
【０１５２】
Ｊ≧Ｊｍａｘ又はＳ≧ｎ（ｉ）である場合には、ステップＳ２４０に進み、ＣＰＵ５３ｇは、Ｉ＝Ｉ＋１にする。
【０１５３】
次いで、ステップＳ２４５では、ＣＰＵ５３ｇは、第１撮影条件の最後の補正条件の撮影を終了するか否か、即ちＩ≧Ｉｍａｘ又はＳＳ≧Ｎか否かを判断する。ここで、Ｉ≧Ｉｍａｘ又はＳＳ≧Ｎでない場合には、ステップＳ１９０に戻り、ＣＰＵ５３ｇは、上述した処理を繰り返す。
【０１５４】
Ｉ≧Ｉｍａｘ又はＳＳ≧Ｎである場合には、ステップＳ２５０に進み、ＣＰＵ５３ｇは、撮影後の撮影レビュー表示にコントローラ７５ａを設定して、撮影レビュー表示処理を行う。
【０１５５】
次いで、ステップＳ２５５では、ＣＰＵ５３ｇは、バッファメモリ（Ａ）７５ｃに記憶した撮影画像を画像ＣＯＤＥＣ７９に出力して符号化処理を行い、画像メモリ媒体７１へのメモリ記録処理を行い、ＣＰＵ５３ｇは、復帰する。
【０１５６】
図８乃至図１２に、本発明における連写撮影の一例として、選択されたシーンに応じて、マルチ条件連写の複数撮影条件の組合せを自動的に設定して、複数の撮影条件の組み合わせ毎に複数枚の画像を連写撮影する例を示したが、選択シーンの代りに、測光値などのセンサ計測情報などに従って、複数の撮影条件の組合せを設定してもよい。また、撮影条件の頻度データなどの統計データに基づいて、撮影条件の組合せや組合せ毎の配分割合や撮影枚数を変えるようにしてもよい。
【０１５７】
図１３Ａ、図１３Ｂ及び図１３Ｃに、図１２の撮影制御フローにおける、連写撮影時のレビュー表示処理サブルーチンのフロー図を示す。
【０１５８】
まず、ステップＳ３１０では、ＣＰＵ５３ｇは、連写撮影のレビュー画像表示処理サブルーチンを行う。
【０１５９】
次いで、ステップＳ３１５では、ＣＰＵ５３ｇは、操作入力部５１での設定がオート（自動）設定か否か判断する。ここで、オート設定でなければ、ステップＳ３２０に進み、ＣＰＵ５３ｇは、設定されているレビュー表示の設定条件データをデータ・メモリ７０から読み込む。
【０１６０】
ステップＳ３２５では、ＣＰＵ５３ｇは、表示条件の設定データをデータ・メモリ７０から読み込む。
【０１６１】
次いで、ステップＳ３３０では、ＣＰＵ５３ｇは、読み込んだデータに従い表示設定条件を表示駆動回路８３に設定する。
【０１６２】
ステップＳ３１５において、ＣＰＵ５３ｇが、オート（自動）設定であると判断した場合、ステップＳ３３５に進み、ＣＰＵ５３ｇは、連写モード及び連写速度（撮影フレーム速度）又は連写枚数に従って、表示スタイル、表示枚数などの表示設定条件を表示駆動回路８３に設定する。
【０１６３】
次いで、ステップＳ３４０では、ＣＰＵ５３ｇは、操作入力部５１での設定がスルー画像をレビュー表示と同時にするか否かを判断する。ここで、スルー画像をレビュー表示と同時にしない場合、ステップＳ３４５に進み、ＣＰＵ５３ｇは、被写体像のスルー画像の表示を消去する。
【０１６４】
スルー画像をレビュー表示と同時にする場合、ステップＳ３５０に進み、ＣＰＵ５３ｇは、表示設定条件にしたがい、スルー画像の表示サイズ、表示位置を表示駆動回路８３に設定する。
【０１６５】
次いで、ステップＳ３５５では、ＣＰＵ５３ｇは、被写体像のスルー画像をスルー表示位置に指定サイズで表示駆動回路８３に表示する。
【０１６６】
次いで、ステップＳ３６０では、ＣＰＵ５３ｇは、撮影条件別のレビュー表示か否か判断する。ここで、撮影条件別のレビュー表示でない場合、ステップＳ３６５に進み、ＣＰＵ５３ｇは、ランダム位置にレビュー表示するか否か判断する。ここで、ランダム位置にレビュー表示しない場合、ステップＳ３７０に進み、ＣＰＵ５３ｇは、表示設定条件と撮影順序に従い、レビュー表示の表示位置、表示サイズを表示駆動回路８３に設定する。
【０１６７】
ランダム位置にレビュー表示する場合、ステップＳ３７５に進み、ＣＰＵ５３ｇは、コントローラ７５ａから撮影枚数を読み出し、所定のレビュー画像の表示枚数を超えたか否か判断する。ここで、所定のレビュー画像の表示枚数を超えていない場合、ステップＳ３９０に進む。
【０１６８】
所定のレビュー画像の表示枚数を超えている場合、ステップＳ３８０に進み、ＣＰＵ５３ｇは、以前のレビュー画像の表示を全て消去する。
【０１６９】
次いで、ステップＳ３８５では、ＣＰＵ５３ｇは、コントローラ７５ａに対してレビュー画像の表示枚数カウントをリセットする。
【０１７０】
次いで、ステップＳ３９０では、ＣＰＵ５３ｇは、表示設定条件データと乱数データに従い、次のレビュー画像の表示位置、表示サイズ、表示角度等を表示駆動回路８３に設定する。
【０１７１】
次いで、ステップＳ３９５では、ＣＰＵ５３ｇは、レビュー画像の表示枚数をコントローラ７５ａでカウントする。
【０１７２】
ステップＳ３６０で、撮影条件別のレビュー表示であると判断した場合、ステップＳ４００で、ＣＰＵ５３ｇは、表示設定条件データに従い、当該画像の撮影条件の設定値別にレビュー表示の表示位置、表示サイズを表示駆動回路８３に設定する。
【０１７３】
次いで、ステップＳ４０５では、ＣＰＵ５３ｇは、操作入力部５１での設定が積み重ね表示か否か判断する。ここで、積み重ね表示ではない場合、ステップＳ４１０に進み、ＣＰＵ５３ｇは、表示設定条件に従い、レビュー画像の表示位置を設定表示方向の次の表示位置に表示駆動回路８３を設定する。
【０１７４】
積み重ね表示である場合、ステップＳ４１５に進み、ＣＰＵ５３ｇは、表示設定条件に従い、レビュー画像の表示位置を積み重ね方向、積み重ね位置に調製して表示駆動回路８３に設定する。
【０１７５】
次いで、ステップＳ４２０では、ＣＰＵ５３ｇは、表示駆動回路８３での表示処理において、当該表示の行／列の表示位置が一杯か否か判断する。当該表示の行／列の表示位置が一杯ではない場合、ステップＳ４では、ＣＰＵ５３ｇは、
【０１７６】
ここで、当該表示の行／列の表示位置が一杯である場合、ステップＳ４２５に進み、ＣＰＵ５３ｇは、スクロール表示するか否か判断する。ここで、スクロール表示しない場合、ステップＳ４３０に進み、ＣＰＵ５３ｇは、以前のレビュー画像の表示を全て消去し、新しい表示位置にリセットする。
【０１７７】
スクロール表示する場合、ステップＳ４３５に進み、ＣＰＵ５３ｇは、最も古いレビュー画像の表示を消去し、その他の以前のレビュー画像を設定方向に順次スクロール移動して表示する。
【０１７８】
次いで、ステップＳ４４０では、ＣＰＵ５３ｇは、操作入力部５１での設定がアニメーション表示するか否か判断する。アニメーション表示する場合、ステップＳ４４５に進み、ＣＰＵ５３ｇは、表示駆動回路８３にスルー画像表示位置からレビュー画像表示位置までの移動遷移指令を送り、アニメーションなどを描画表示する。
【０１７９】
次いで、ステップＳ４５０では、ＣＰＵ５３ｇは、設定された表示位置、設定表示サイズ、角度になるように表示駆動回路８３に指令を送り、最新の撮影画像のレビュー画像を表示する。その後復帰する。
【０１８０】
［レビュー表示の設定画面］  図１４に、ユーザ操作に従って、レビュー表示の表示設定条件などを予め選択や設定できるようにした場合の、レビュー表示設定の操作画面の動作例を示す。図１４（ｄ）乃至（ｆ）に、連写レビュー表示設定の操作画面を示し、図１４（ｅ）に示されるように、操作入力部からの操作に従って、連続撮影による撮影レビュー表示の表示条件の設定データをカスタム設定してもよい。
【０１８１】
［実施例１の効果］
【０１８２】
高速度撮影モードまたは連続撮影モードに関連して設定された撮影条件に従って、複数枚の画像の撮影動作を繰り返し行うように制御しておき、連続撮影による撮影画像のレビュー表示に関連する表示条件設定データに基づいて、連続撮影された画像の縮小画像を、順次撮影毎に追加表示して、連続撮影された複数枚の撮影画像のレビュー表示を行うように制御することで、高速連写時のダイナミックさ、スピード感が強調され、高速連写らしい表示表現が行えるので、動画撮影モードと誤認識されることも無くなる。この結果、撮影した複数の画像の高速確認を行い易くすることができる。
【０１８３】
また、上記撮影レビュー表示に加え、スルー画像の表示も同時に並べて又は重ねて表示することで、高速連写でも撮影を妨げることなく、被写体の確認と撮影の確認とが同時に行え、目標被写体及び構図の確認が容易となる。
【図面の簡単な説明】
【０１８４】
【図１】本発明の実施の形態に係る撮影制御装置を電子カメラに適用した場合の概要を示すシステム構成図である。
【図２】本発明の第１の実施形態に係る高速度カメラの全体構成を示すブロック図である。
【図３】本発明の第１の実施形態に係る高速度カメラの撮像素子の構成を示すブロック図である。
【図４Ａ】本発明の第１の実施形態に係る高速度カメラの撮像素子の詳細な構成を示す回路図である。
【図４Ｂ】ＣＤＳ回路、ＡＤＣ回路の動作を説明するためのタイミングチャートである。
【図５Ａ】本発明の実施形態に係る高速度カメラの概略的な動作を説明するためのフローチャートである。
【図５Ｂ】図５Ａに示す各ステップに対応する動作を説明するための画面例（ａ）〜（ｅ）である。
【図６Ａ】撮影レビュー表示の表示動作例を示す図（ａ）〜（ｄ）である。
【図６Ｂ】撮影レビュー表示の表示動作例を示す図（ａ）〜（ｄ）である。
【図７Ａ】撮影レビュー表示の表示動作例を示す図（ａ）〜（ｄ）である。
【図７Ｂ】撮影レビュー表示の表示動作例を示す図（ａ）〜（ｄ）である。
【図８】本発明の第１実施例として、選択されたシーンに応じて、マルチ条件連写の複数撮影条件の組合せを設定する場合での、撮影シーン毎に予め記憶されている撮影条件の設定データの例を示す図である。
【図９】シーン別の露出補正条件の配分設定データの例を示す図である。
【図１０】撮影シーン別のホワイトバランス条件の配分設定データの例を示す図である。
【図１１Ａ】選択シーンに応じて撮影条件の組合せ毎の撮影枚数を配分した例を示す図（ａ）〜（ｄ）である。
【図１１Ｂ】選択シーンに応じて撮影条件の組合せ毎の撮影枚数を配分した例を示す図（ａ）、（ｂ）である。
【図１２Ａ】本発明の第１実施例の電子カメラの撮影制御の一例として、撮影シーンに応じて撮影条件の組合せ毎の撮影枚数を制御することを説明するためのフローチャート（その１）である。
【図１２Ｂ】本発明の第１実施例の電子カメラの撮影制御の一例として、撮影シーンに応じて撮影条件の組合せ毎の撮影枚数を制御することを説明するためのフローチャート（その２）である。
【図１３Ａ】連写撮影時のレビュー表示処理サブルーチンを示すフローチャート（その１）である。
【図１３Ｂ】連写撮影時のレビュー表示処理サブルーチンを示すフローチャート（その２）である。
【図１３Ｃ】連写撮影時のレビュー表示処理サブルーチンを示すフローチャート（その３）である。
【図１４】レビュー表示の設定画面の表示例を示す図（ａ）〜（ｆ）である。
【符号の説明】
【０１８５】
１１…操作入力部、１３…制御部、１３ａ…撮影モード／撮影シーンの選択部、１３ｂ…シーン別撮影プログラム、１３ｄ…複数撮影条件の組合せ／連写枚数の設定部、１３ｅ…撮影条件の組合せ設定データ、１３ｈ…撮影制御部、１３ｈ１…通常の撮影制御部、１３ｈ２…高速連写撮影制御部、１３ｈ３…マルチ条件による連写撮影部、１３ｈ４…ブラケティング撮影制御部、１３ｈ５…動画撮影制御部、１３ｍ…画像表示の制御部、１３ｎ…表示条件の設定データ、１５…ズームレンズ／フォーカスレンズ駆動部、１６…絞り／シャッタ駆動部、１７…ストロボ駆動部、１８…ストロボ、１９…角速度センサ／加速度センサ、２０…手ブレ／振動検出部、２１…受光センサ／ＡＦセンサ、２２…測光／測距／ＡＦ検出部、２３…光学系、２５……イメージセンサ、２７…信号処理部、２７ｊ…表示合成処理部、２９…バッファメモリ部、３１…画像符号化／復号化部、３３…画像記録／入出力部、３５…画像メモリ媒体、４０…表示駆動回路、４０ａ…表示画像メモリ、４１…画像表示部、５１…操作入力部、５３…制御回路、５３ａ…入出力ポート、５３ｂ…入出力ポート、５３ｃ…ＨＤＤ・ＩＦ、５３ｄ…インタフェース、５３ｅ…入力回路、５３ｆ…メモリカード・ＩＦ、５３ｇ…ＣＰＵ、５５…シャッタ駆動部、５６…絞り駆動部、５７…ズームレンズ駆動部、５８…焦点レンズ駆動部、５９…撮影光学系、６０…ストロボ駆動回路、６１…ストロボ、６２…測光／測距センサ、６３…検出回路、６４…角速度センサ、６５…検出回路、６６…角速度センサ、６７…検出回路、６８…ＨＤＤ記憶装置、６９…プログラム・メモリ、７０…データ・メモリ、７１…画像メモリ媒体、７３…撮像素子、７３ａ…イメージセンサ部、７３ａ１…複数の単位画素回路、７３ｂ…ＣＤＳ回路、７３ｃ…Ａ／Ｄ変換回路、７３ｃ１…ラッチ、７３ｄ…画素加算回路、７３ｅ…符号器、７３ｆ…並列／直列変換回路、７３ｇ…タイミング発生回路、７３ｈ…垂直走査回路、７３ｉ…水平走査回路、７３ｊ…トランスミッタ、７３ｋ…演算回路、７３ｋ１…ラッチ、ｋ２…ラッチ７３、７３ｋ３…ＡＬＵ、７３ｋ４…ラッチ、７３ｍ…演算回路、７３ｍ１…ラッチ、７３ｍ２…ラッチ、７３ｍ３…ＡＬＵ、７３ｍ４…ラッチ、７３ｎ…ＡＤＣ基準信号（Ｒａｍｐ波形）、７３ｐ…１０ビットカウンタ、７５…ＤＳＰ部、７５ａ…コントローラ、７５ｂ…Ｓ／Ｐ変換回路、７５ｂ１…レシーバ、７５ｃ…バッファメモリ（Ａ）、７５ｄ…ＷＢ補正回路、７５ｅ…画素補間／リサイズ回路、７５ｆ…カラー補間回路、７５ｇ…輪郭補正回路、７５ｈ…ガンマ補正回路、７５ｉ…マトリクス回路、７５ｊ…画像認識処理部、７５ｋ…画像補正処理部、７５ｍ…画像合成処理部、７７…バッファメモリ（Ｂ）、７９…画像ＣＯＤＥＣ、８１…動画像ＣＯＤＥＣ、８３…表示駆動回路、８５…画像表示部
【図１】
2008124826.tif 000003
【図２】
2008124826.tif 000004
【図３】
2008124826.tif 000005
【図４Ａ】
2008124826.tif 000006
【図４Ｂ】
2008124826.tif 000007
【図５Ａ】
2008124826.tif 000008
【図５Ｂ】
2008124826.tif 000009
【図６Ａ】
2008124826.tif 000010
【図６Ｂ】
2008124826.tif 000011
【図７Ａ】
2008124826.tif 000012
【図７Ｂ】
2008124826.tif 000013
【図８】
2008124826.tif 000014
【図９】
2008124826.tif 000015
【図１０】
2008124826.tif 000016
【図１１Ａ】
2008124826.tif 000017
【図１１Ｂ】
2008124826.tif 000018
【図１２Ａ】
2008124826.tif 000019
【図１２Ｂ】
2008124826.tif 000020
【図１３Ａ】
2008124826.tif 000021
【図１３Ｂ】
2008124826.tif 000022
【図１３Ｃ】
2008124826.tif 000023
【図１４】
2008124826.tif 000024